(57)【要約】【課題】一般的な栽培者であっても容易に種々の植物を最適状態で栽培することができ、また、経験・知識の豊かな栽培者にあってはそれを最大限に生かせ、さらに、過去の栽培経験を蓄積しその蓄積を活用した学習機能を有する栽培支援システム及び養液栽培システムを提供すること。【解決手段】植物を栽培環境及び肥料濃度等をコンピュータにより自動制御しながら育成するシステムにおいて、栽培者から遠隔の地にある栽培支援センターはネットワークを介して栽培者の栽培手法並びに育成結果を監視し、栽培者に助言を与える栽培支援システムとするとともに、栽培しようとする植物の種類毎に、肥料濃度及び灌水量について規定された既定の栽培メニューを、品種、栽培地域、栽培時期、栽培者の栽培知識、試みようとする栽培手法等により、栽培者自らが前記既定の栽培メニューを自らが栽培しようとする栽培手法に変更可能な養液栽培システムとした。【選択図】　　図３
2004065265.tif 000002
【特許請求の範囲】
【請求項１】
　植物を栽培する培地と、養液濃度、ｐＨ値等の養液条件を満たす養液を調製する養液調製装置と、前記培地に調製された養液を設定された潅水条件に従って供給する養液供給装置と、前記培地から排出された排液を計測する排液計測装置と、前記養液供給装置及び前記養液調製装置の作動を制御する農場サーバーと、を有する養液栽培システムにおいて、
　前記養液調製装置は、養液濃度を検出する第１電気伝導度検出部及び養液のｐＨ値を検出する第１ｐＨ検出部を具備しており、
　前記農場サーバーは、
　中央処理手段と、
　植物の種類、生育状況及び栽培時期に応じて、予め設定されている初期設定値を記憶する第１記憶部と、その後に再設定した設定値を記憶する第２記憶部と、からなる記憶手段と、
　前記農場サーバーを操作するために必要な情報を入力するための入力手段と、
　少なくとも前記第２記憶部に記憶された設定値と、前記各検出部にて測定された測定値が表示される表示手段とを具備し、
　前記中央処理手段は、前記第２記憶部に記憶された設定値を前記各種装置の制御データとする養液栽培システム。
【請求項２】
　前記排液計測装置は、養液濃度を検出する第２電気伝導度検出部及び養液のｐＨ値を検出する第２ｐＨ検出部を具備するとともに、
　前記記憶手段は、臨時潅水設定値が記憶された第２記憶部を具備しており、
　前記中央処理手段が、前記第２電気伝導度検出部から送出された測定値が所定の範囲を超えたとき、前記臨時潅水設定値に基づいて、排液の肥料濃度が正常値に近くなるまで臨時潅水を継続させるものであることを特徴とする請求項１の養液栽培システム。
【請求項３】
　前記第２記憶部に記憶された前記臨時潅水設定値が、肥料濃度を段階的に低下させるものであることを特徴とする請求項２の養液栽培システム。
【請求項４】
　前記排液計測装置は、養液濃度を検出する第２電気伝導度検出部及び養液のｐＨ値を検出する第２ｐＨ検出部を具備しており、
　前記中央処理手段が、前記第２電気伝導度検出部から送出された測定値が所定の範囲を超えたとき、前記養液調製装置の電気伝導度設定値を演算し、次回の潅水条件を自動的に書換える電気伝導度設定値自動書換機能を有するものであることを特徴とする請求項１乃至請求項３いずれかの養液栽培システム。
【請求項５】
　前記中央処理手段は、気温検知部で検知した気温と、培地温検知部で検知した培地温の差を演算して、換気窓開夏モード、換気窓開冬モードを判定し、前記換気窓駆動装置を制御するものであることを特徴とする請求項１乃至請求項４いずれかの養液栽培システム。
【請求項６】
　植物を栽培する前記培地は、気温検知部、培地温検知部、日射量検知部、換気窓、遮光カーテン、保温カーテン、前記換気窓と前記各カーテンを開閉する駆動装置、室内及び培地を加温する加温装置を具備する温室内に配設されており、
　前記農場サーバーの前記入力手段は、換気窓設定値、遮光カーテン設定値、保温カーテン設定値、温風暖房設定値、温湯管設定値を随時入力し、前記第２記憶部は該設定値を記憶するものであることを特徴とする請求項１乃至請求項５いずれかの養液栽培システム。
【請求項７】
　前記中央処理手段は、表示モードと入力モードを切換可能であることを特徴とする請求項１乃至請求項６いずれかの養液栽培システム。
【請求項８】
　前記中央処理手段は、入力モードにおいて、時刻、潅水条件、潅水量、養液条件、温度条件等の項目毎の設定値を自由に書き込むことができる多数の入力欄を表示するものであることを特徴とする請求項１乃至請求項７いずれかの養液栽培システム。
【発明の詳細な説明】
【技術分野】
【０００１】
　本発明は、植物の栽培経験が必ずしも豊かでない栽培者の栽培を支援する栽培支援システム及び植物を栽培する培地に肥料を含む養液を供給して植物を栽培する養液栽培システムに関するものである。
【背景技術】
【０００２】
　従来、特開平１０−１９１７８７号公報には、栽培のための特別な知識を必要とせず、ごく一般的な栽培者であっても容易に種々の植物を最適状態で栽培することができるように、多数の植物栽培装置と１つの中央管理装置とを伝送路で結んで、中央管理装置が各植物栽培装置に対して最適栽培データを送信し、各植物栽培装置は受信した前記データに基づいて栽培する植物栽培システムが、開示されている。
【特許文献１】特開平１０−１９１７８７号公報
【０００３】
　他方、養液栽培システムの施肥量管理技術として例えば、特開平１０−３１３７１４号公報に示されるように、灌水開始前に予め灌水期間と該灌水期間中に培地に供給すべき液体肥料原液の量すなわち設定施肥量を該制御部の入力手段に入力して、該灌水期間および該設定施肥量を該制御部の記憶手段に記憶させ、灌水開始直後より該制御部の時間監視手段は灌水開始後の経過時間を監視し、該灌水期間が満了するまでの間において、該液体肥料測定手段が灌水開始後の液体肥料原液の供給量すなわち施肥量を測定して該制御部の演算手段が該施肥量と該設定施肥量とを比較し該施肥量が該設定施肥量未満である限り該液体肥料希釈液の供給を続け、該施肥量が該設定施肥量に達したときに、該制御部の命令手段が上記液体肥料原液送出手段に液体肥料原液の送出を停止する命令を伝達することにより、該液体肥料希釈液の供給を自動的に停止する機能を有する過剰施肥防止機能付液体肥料原液の希釈供給装置が知られている。
　この装置はまた、施肥量が設定施肥量に達しないうちに灌水期間が満了した場合、次回の灌水期間を直前の灌水期間と同一とし、次回の設定施肥量を直前の設定施肥量と直前の施肥量との差の量を直前の設定施肥量に追加した液体肥料原液量として、自動的に次の灌水を再開始する機能を有するもので、長期に亘って使用しても施肥不足が生じない、というものである。
【特許文献２】特開平１０−３１３７１４号公報
【発明の開示】
【発明が解決しようとする課題】
【０００４】
　以上のように、上記第１の従来技術である植物栽培システムでは、肥料管理データを含め全ての栽培制御データが中央管理装置から提供され、一般的な栽培者であっても容易に種々の植物を最適状態で栽培することができる反面、栽培制御データの変更権限が中央管理装置側に集中していて、現場である植物栽培装置側では栽培制御データについて一切微調整できないから、実際の植物の育成状況に応じてきめ細かな栽培管理をすることができず、また、栽培者の栽培経験を植物栽培システムに反映することができない。
【０００５】
　さらに、上記第２の従来技術は、一定期間における施肥総量を一定にするという考え方があるものの、施肥量が設定施肥量に達しないうちに灌水期間が満了した場合は、次回の灌水期間に不足施肥量を追加するというもので、過剰施肥防止はできるものの、一定期間における施肥量を厳密に管理することはできなかった。
　また、給水量については、日照時間、湿度に連動して変化させるというものである。
　しかも、施肥量についての設定値は変更不可能なので、植物の育成状況に応じた柔軟な施肥管理ができないものである。
　このため、植物の生育不良を防止しうるものの、施肥量、給水量について育成最適状態を実現するまでには至らなかった。
　他に、日射、温度等によって給液量を自動的に変更することも一般的に行われているが、画一的に規定のプログラムを実行するのみで、プログラム自体を書き替えることはできないので、このものも実際の育成状況や栽培者の知識経験を反映することができない。
【０００６】
　そこで本発明は、上記問題点を解決するために創出されたもので、一般的な栽培者であっても、栽培支援センターと栽培サポーターから栽培についての適切なアドバイスを受けて容易に種々の植物を最適状態で栽培することができ、栽培者が栽培支援センター側に蓄積された過去の栽培経験を活用した学習機能を利用可能として容易に栽培技術上の進歩を図ることができるよう栽培支援システムを提供することを目的としている。
【０００７】
　また、栽培者自らの経験・知識に基づく栽培ができるよう、現場の栽培自動制御装置の栽培条件設定変更が簡便に、かつ、きめ細やかになし得るように構成して、経験・知識が豊富な栽培者にあってはそれらを最大限に生かせるような養液栽培システムを提供することを目的としている。
【課題を解決するための手段】
【０００８】
　本発明は、栽培支援システムとしては、栽培支援センターに設置された農場管理サーバー、データベースサーバー及び閲覧用サーバーとを有する中央情報処理装置と、該栽培支援センターと栽培支援契約を締結した契約ユーザーの農場の内外に設置された農場サーバー及び情報処理装置と、該契約ユーザーにより指定された栽培サポーターに設置された情報処理装置とが、通信ネットワークを介して有機的に結合された栽培支援システムであって、前記通信ネットワークは、前記栽培支援センターの農場管理サーバーと前記契約ユーザーの農場サーバーとの間に、前記栽培支援センターから契約ユーザーの農場サーバーにアクセスできるが、前記契約ユーザーから栽培支援センター側農場管理サーバーと他の契約ユーザー側農場サーバーにアクセスできないセキュリティネットワークを介して構築されたセントラルサポートネットワークと、前記閲覧用サーバーと前記契約ユーザーの情報処理装置と栽培サポーターの情報処理装置との間にインターネットを介して構築されたパーソナルサポートネットワークとから構成され、前記農場管理サーバーは、前記セントラルサポートネットワークを介して、順次各契約ユーザーの農場サーバーに対し、該農場サーバー内栽培データを送信するよう要求し、送信された栽培データを受信、蓄積、加工して、前記データベースサーバーに格納するとともに、前記加工データのうちの警報データについて、前記パーソナルサポートネットワークを介して、該当する契約ユーザーとその栽培サポーターの情報処理装置に送出し、前記閲覧用サーバーは、契約ユーザー毎の加工データを、当該契約ユーザーとその栽培サポーターに対し閲覧を許容するものとした。
【０００９】
　さらに、養液栽培システムとしては、植物を栽培する培地と、養液濃度、ｐＨ値等の養液条件を満たす養液を調製する養液調製装置と、前記培地に調製された養液を設定された潅水条件に従って供給する養液供給装置と、前記培地から排出された排液を計測する排液計測装置と、前記養液供給装置及び前記養液調製装置の作動を制御する農場サーバーとを有する養液栽培システムにおいて、前記養液調製装置は、養液濃度を検出する第１電気伝導度検出部及び養液のｐＨ値を検出する第１ｐＨ検出部を具備しており、前記農場サーバーは、中央処理手段と、植物の種類、生育状況及び栽培時期に応じて、予め設定されている初期設定値を記憶する第１記憶部と、その後に再設定した設定値を記憶する第２記憶部とからなる記憶手段と、前記農場サーバーを操作するために必要な情報を入力するための入力手段と、少なくとも前記第２記憶部に記憶された設定値と、前記各検出部にて測定された測定値が表示される表示手段とを具備し、前記中央処理手段は、前記第２記憶部に記憶された設定値を前記各種装置の制御データとするものとした。
【発明の効果】
【００１０】
　　請求項１に係る発明によれば、養液調製装置は、養液濃度を検出する第１電気伝導度検出部及び養液のｐＨ値を検出する第１ｐＨ検出部を具備しており、農場サーバーは、植物の種類、生育状況及び栽培時期に応じて、予め設定されている初期設定値を記憶する第１記憶部と、その後に再設定した設定値を記憶する第２記憶部とからなる記憶手段を具備し、中央処理手段は、前記第２記憶部に記憶された設定値を前記各種装置の制御データとしたから、一般的な栽培者であっても容易に種々の植物を最適状態で栽培することができ、また、経験・知識の豊かな栽培者にあってはそれらを最大限に生かせる養液栽培システムとすることができる。
【００１１】
　請求項２に係る発明によれば、中央処理手段が、第２電気伝導度検出部から送出された測定値が所定の範囲を超えたとき、臨時潅水設定値に基づいて、排液の肥料濃度が正常値に近くなるまで臨時潅水を継続させるものとしたから、肥料過剰による成長不良を防止するとができる。
【００１２】
　請求項３に係る発明によれば、第２記憶部に記憶された臨時潅水設定値が、肥料濃度を段階的に低下させるものであるものとしたから、肥料濃度を急激に下げた養液が供給されないので、植物の根のダメージをなくすことができる。
【００１３】
　請求項４に係る発明によれば、中央処理手段が、第２電気伝導度検出部から送出された測定値が所定の範囲を超えたとき、養液調製装置の電気伝導度設定値を演算し、次回の潅水条件を自動的に書換える電気伝導度設定値自動書換機能を有するものであるから、排液の肥料濃度を給液の肥料濃度調製にフィードバックできて、養液栽培の最も重要な栽培条件である肥料濃度調製を的確、迅速に行え、植物の育成を一層確実に促進することができる。
【００１４】
　請求項５に係る発明によれば、中央処理手段は、気温検知部で検知した気温と培地温検知部で検知した培地温の差を演算して、換気窓開夏モード、換気窓開冬モードを判定し、前記換気窓駆動装置を制御するものとしたから、栽培環境を正確迅速に制御することができる。
【００１５】
　請求項６に係る発明によれば、温室の温度環境を総合的に制御できて、植物の育成を促進することができる。
【００１６】
請求項７に係る発明によれば、農場サーバーの中央処理手段は、表示モードと入力モードを切換可能としたから、設定値の確認作業と入力作業を短時間に円滑に実行することができる。
【００１７】
　請求項８に係る発明によれば、農場サーバーの中央処理手段は、入力モードにおいて、時刻、潅水条件、潅水量、養液条件、温度条件等の項目毎の設定値を自由に書き込むことができる多数の入力欄を表示するものとしたから、設定値を自由に入力することができ栽培者の栽培技術を最大限に発揮しうる。
【実施例１】
【００１８】
　図１は、栽培支援ネットワークのイメージ図を、図２は、その詳細図を示している。
　以下これらの図面を参照して、本発明の栽培支援システムについて詳細に説明する。
【００１９】
　本発明の栽培支援システムは、栽培支援センターと、栽培支援センターと栽培支援契約を締結した契約ユーザーと、契約ユーザーが、自らあるいは栽培支援センターの紹介で指定した栽培サポーターとが構成要素となり、栽培支援センターが設置する情報処理装置と、契約ユーザーの農場に設置された農場サーバー及び農場外に設置された情報処理装置と、栽培サポーターに設置された情報処理装置とにより構成されている。
　そしてこれらの情報処理装置は、図１のほぼ中央に描かれたセントラルサポートネットワークと、その左側に描かれたパーソナルサポートネットワークとによってネットワークが張られている。
【００２０】
　栽培支援センターが行う支援サービスの内容としては、図１の右側の箱の中に記載されているように、天窓、暖房機など駆動系作動不良の監視、警報発信、メンテ手配、排液のＥＣ値異常など栽培環境不良の監視、警報発信、メンテ手配、駆動モーターの交換時機到来など駆動系作動不良予防の案内、メンテ手配、養液残量不足など栽培環境不良の案内、メンテ手配、栽培データ分析によるＩＴ生育診断、天候予測、栽培市況など栽培に関連する情報の案内、栽培制御コントロールシステムのバージョンアップインストール、栽培の相談等がある。
【００２１】
　図２を参照して、三者の情報処理装置の構成について説明する。
　栽培支援センターには、農場管理サーバー、データベースサーバー、閲覧用サーバー及びメールサーバーが設置されている。
　契約ユーザーには、温室等の農場内に農場サーバーが、農場外に情報処理装置としてパーソナルコンピュータ、携帯電話、携帯情報端末が、一方、栽培サポーターには、情報処理装置としてパーソナルコンピュータが配設されている。
　契約ユーザーの携帯電話と携帯情報端末は、農場サーバーの遠隔操作用として機能するよう、発信者の番号を識別させて操作資格を審査させると良い。
【００２２】
　そしてこれら情報処理装置は、前述したとおり、セントラルサポートネットワークとパーソナルサポートネットワークとを介して結合させる。
【００２３】
　具体的には、前記セントラルサポートネットワークは、フレームリレーネットワークを利用している。
　専用回線を利用すると、センターは契約ユーザー数分の回線を確保する必要があり非効率であるが、このフレームリレーネットワークは、センター、各契約ユーザー、各栽培サポーターが、それぞれ１回線を確保すれば相互に結ばれ効率的である。
　ただし、互いの情報処理装置において、相互に誤り訂正とフロー制御について規定しておく必要がある。
【００２４】
　図２に示されているように、セントラルサポートネットワークは農場管理サーバーと農場サーバーのみを結合していて、契約ユーザーの情報処理装置や栽培サポーターの情報処理装置は結合していない。
　本実施例ではさらに、栽培支援センターは、順次契約ユーザーの農場サーバーに対し、セントラルサポートネットワークを介してデータの送信を要求する。
　契約ユーザーの農場サーバーは、栽培支援センターからの要求に応じて、サーバー内のデータを農場管理サーバーに対し送信する。
　農場管理サーバーは、農場サーバーからデータを受信したら、該データをデータベースサーバーの記憶装置に格納する。
　一方、農場管理サーバーは農場サーバーからのデータ送信要求に対し応答しないように設定している。
　このためこの実施例では、セントラルサポートネットワークがセキュリティネットワークとして機能するものである。
【００２５】
　他方、契約ユーザー及び栽培サポーターの情報処理装置とは、栽培支援センターの閲覧用サーバーとメールサーバーが、前述のパーソナルサポートネットワークを介して結合している。
　このパーソナルサポートネットワークは具体的には、インターネットを利用している。
【００２６】
　栽培支援センターの閲覧用サーバーは、インターネットを介して契約ユーザー及び栽培サポーターの情報処理装置と結合されている。
　しかし、栽培支援センターは公開するデータに制限を加えている。すなわち、閲覧用サーバーへのアクセスに対する開示は、アクセスした者が栽培支援センターに送信したデータの加工データのみとしている。つまり、契約ユーザーからみると、他の契約ユーザーの栽培データについては閲覧不可で、自らの栽培データの加工したものだけを閲覧可能となる。このことは、栽培サポーターについても同じことが言える。栽培サポーターは自らが支援する契約ユーザーのデータのみ閲覧可能である。
　このように、閲覧用サーバーは、契約ユーザー毎の加工データを、当該契約ユーザーとしの栽培サポーターに対し閲覧を許容する。
　このためにセンターは、契約ユーザーとその栽培サポーターに対し、ＩＤ番号とパスワードを交付し、閲覧資格を審査している。
　このように、加工データであっても第三者にはデータが漏れないように措置している。
【００２７】
　栽培支援センターに配設されたメールサーバーには、農場管理サーバーがデータベースサーバーを介して接続され、契約ユーザー及び栽培サポーターの情報処理装置がインターネットを介して接続されている。
　契約ユーザーからの質問、栽培支援センター、栽培サポーターからの回答などのｅ−メールがメールサーバーを介してやりとりされる。
【００２８】
　農場内には、後述する各種センサーが配設されており、農場サーバーにはこれら各種センサーの出力が絶えずインプットされている。
　また、農場サーバーの入力装置から後述する栽培管理データが入力される。
【００２９】
　農場管理サーバーは、天窓、暖房機、保温・遮光カーテンなど作物の栽培環境を良好にするための駆動系装置の作動不良や気温、地温、排液のＥＣ値、ｐＨ値、培地の水頭圧値の異常など栽培環境不良の現時点における異常を認識する。
　現時点における異常が認められたときは、農場管理サーバーはメールサーバー経由でパーソナルサポートネットワークを介して、すなわち、インターネットを介してｅ−メールで異常内容を警報として、契約ユーザー及び栽培サポーターのパーソナルコンピュータに送信する。
　契約ユーザーはこれを受けて、警報の内容に直ちに対応する。
　それができないときは、栽培支援センターや栽培サポーターに相談することとなる。
【００３０】
　また、栽培支援センターは現時点における不具合のみならず、将来起こりうる障害についても予測して警告するものである。
　この予測は、駆動系装置のものでは耐用年数、メンテ期日、過去の故障発生傾向などの履歴データ等からの予測、また、栽培系のものでは、気温、地温、排液のＥＣ値・ｐＨ値、培地の水頭圧値等についての現在の設定値での栽培を継続した場合の生育状況をシュミレートして、将来の姿を予測して異常が認められるときは、現時点における異常通報と同様の方法で通知する。
【００３１】
　さらに農場管理サーバーは、異常警報が資機材の調達、保守点検を内容とする場合には、契約ユーザーが指定する業者に対し、別途の通信ネットワーク、実際にはインターネットで自動的に調達、保守点検を代行発注する。
　もちろんこのサービスは、契約ユーザーが栽培支援センターと契約した者に対してだけ行うものである。
【００３２】
　上記サービスは、栽培支援センター側の主体的な判断で警告を行うものである。
　これに対し、次のようなサービスも提供することができる。
　農場管理サーバーは、前記農場サーバーから定期的に、農場に配設された各種センサーの出力及び契約ユーザーが入力した栽培条件に関する栽培データを送信するよう要求し、受信データをデータベースサーバーに格納する。
　一方、過去における栽培支援センター、栽培サポーター、契約ユーザーの三者のｅ−メールのやりとり、実行した措置内容、その結果等をデータベースサーバーに蓄積しておく。
　少なくとも数年の長い年月を掛けて、発生した問題点、その問題点を解決するためにとった実際の措置内容、栽培結果などをデータベースとして前記データベースサーバーに蓄積保存する。
　テータ範囲は全契約ユーザーの栽培データとする。
　このように、栽培支援センターは全契約ユーザーの過去の栽培実績データを網羅的に集積し、これらデータを解析して有意の法則を見出しつつ知識データベース化していく。
　この段階で、契約ユーザーの情報処理装置よりの要求に応じて、必要なデータを前記データベースサーバーより読み出して、該データを解析して作物の生育状況を診断する。
　この診断結果を前記メールサーバーに送信して契約ユーザーに対し、インターネットを介して回答する。
【００３３】
　さらに農場管理サーバーは、契約ユーザーが入力した気温・地温管理、給水・給肥管理等の栽培条件データに加え、作付面積、作付量、収量、売上金額、栽培管理コスト、利益等の経営データを送信するよう要求し、受信したデータを前記データベースサーバーに蓄積し、データベースサーバー内に別途蓄積されている契約ユーザーの質問、回答履歴を組み合わせて、これらデータを編集・加工してデータベース化して過去の栽培経験、知識を作物の生育診断に活用すると良い。
　このように幅広い種類のデータについて蓄積、編集、加工を継続することにより、データベースそのものに学習機能を持たせ得る。
【００３４】
　翻って、天候、気候は作物の生育状況に大きな影響を与える。
　また、作物の市況の変化は大きく最大収益をあげるための最適出荷時点を決めることも経営に大きな影響を与える。
　このため、中央情報処理装置は、上記したネットワークとは別途の通信ネットワークを介して、地域天気情報センターや地域青果市場センターに接続し、地域の天気情報及び地域の作物市場価格情報をデータベースサーバーに逐次格納し、閲覧用サーバーに最新情報を表示させ、閲覧用サーバーは、該最新情報を資格を有する契約ユーザーに対し閲覧を許可するようにする。
　こうすると、契約ユーザーは個々にそれら情報センターにアクセスすることなく、必要な情報を入手して栽培管理、収穫出荷のタイミング調整等に反映させることができる。
　この場合例えば、予測される時刻に激しい雷雨があるとの予報に接したら、雨センサーの検知信号に関わらず該時刻に換気窓全閉の信号を発するよう設定値を自動的に変更する機能を持たせることができる。
　なお、閲覧用サーバーにどの地域の情報を掲載表示すべきかは、契約ユーザーのＩＤ番号等からセンターサイドで判断、割り付ければよい。
【実施例２】
【００３５】
　図３は、本発明の養液栽培システムの概念図である。
　この実施例では、本養液栽培システムが、柱１、梁トラス２により構築され硬質フィルムまたはガラス張りされた温室内で実現されている。
　この温室は、換気窓として天窓５、側窓６を備えている。１０は天窓支持金具で、その両端が天窓５と左右に移動自在のレールラック９に枢着されており、天窓５は天窓開閉装置８の駆動により開閉されるが、この天窓開閉装置８は栽培者の管理する農場サーバー５１により制御されている。側窓駆動装置７についても同様である。
【００３６】
　この温室には各種のセンサーが取り付けられている。
　１４は風速・風向計、１５は雨センサー、１７は室内湿度センサー、１８は室外温度センサー、１９は炭酸ガスセンサー、２０は室内温度センサー、２４は日照・日射センサーであり、それぞれのセンサーは細実線で表される信号線を通じて農場サーバー５１に計測データを送出している。
【００３７】
　この農場サーバー５１は、前記各種センサーから送出された計測データに基づいて、循環扇１３，暖房装置３３、ミスト発生器２１、保温・遮光カーテン２２の作動を直接的に制御し、炭酸ガスボンベ４２の作動を炭酸ガス発生器４１を介して制御している。
　１６はモニターカメラである。
　換気窓の作動については前述したとおりであるが、制御の詳細については後述する。
【００３８】
　本システムは、栽培環境系統については以上のとおり、ほぼ従来から実用化されているものであるが、これとは独立した別系統として養液・培地管理系統を有している。
　以下、この系統について説明する。
　温室内床面に、送水ポンプ２５、原水タンク２６、給液装置２７、原液タンクＡ２８及び原液タンクＢ２９が置かれている。これらタンク２８，２９には、混合したとき反応して沈殿物を生じない成分同士を、互いに分離して収容してある。３０は希釈タンクで、図示しない水道管からの水、前記両タンク２８、２９の肥料、図示しない酸タンクまたはアルカリタンクの酸またはアルカリを調合して、肥料濃度及びｐＨ値を調整した養液を調製するものである。これら全体で養液調整装置を構成している。
【００３９】
　また、前記希釈タンク３０内に配設された３１、３２は、それぞれ第１のｐＨセンサー、第１のＥＣ（電気伝導度）センサーである。
　このＥＣ（電気伝導度）センサー３２は、希釈タンク３０内の養液の肥料濃度を計測するためのもので、肥料濃度が高くなるほど大きな値を示し、真水では０．８程度である。ｐＨセンサー３２は、養液のｐＨ値を測定する通常のものである。
【００４０】
　希釈タンク３０内で調合された養液は、養液供給パイプ、ポンプ、潅水チューブ３４を介して植物に供給される。
　本発明の養液調合システムについては後述する。
【００４１】
　養液の供給系統については以上のとおりであるが、以下、使用後の養液、すなわち、排液の計測系統について説明すると、温室内地下には、排液貯留槽３９が埋設されている。
　この排液貯留槽３９の上流部には、排液のｐＨ値、肥料濃度を測定する第２のｐＨセンサー３７、第２のＥＣセンサー３８が設けられている。
　本実施例では、排液計測ます３６内にｐＨセンサー３７、ＥＣセンサー３８を設けているが、この排液計測ます３６を省略して直接排液排出パイプに挿入することとしてもよい。
　なお、３５は排液管である。
【００４２】
　前記給液装置２７と、希釈タンク３０内の給液側の第１のｐＨセンサー３１、第１のＥＣセンサー３２と、排液側の第２のｐＨセンサー３７、第２のＥＣセンサー３８とは、それぞれ細実線で表されるそれぞれ別系統の信号線を介して農場サーバー５１と結合されている。
【００４３】
　図３における５０は、ディスプレイ・入力装置、５２は携帯電話、５３は携帯情報端末である。
　栽培者は通常、入出力部５０より後述する栽培条件を設定するための入力を行うが、このシステム構成例では農場サーバー５１から離れた場所からも、上記の携帯情報端末等により入力を行うことができ、システム管理の利便性を向上できる。　
【００４４】
　ここで、養液栽培システムのハードウェア構成について説明する。
　栽培者の農場サーバーは、中央処理手段（ＣＰＵ）と、植物の種類、生育状況及び栽培時期に応じて、予め設定されている初期設定値を記憶する第１記憶部と、その後に再設定した設定値を記憶する第２記憶部と、過去の栽培記録をデータベース化した栽培履歴を記憶する第３記憶部と、からなる記憶手段と、前記農場サーバーを操作するために必要な情報を入力するための入力手段と、少なくとも前記第２記憶部に記憶された設定値と、前記各検出部にて測定された測定値が表示される表示手段と、送受信手段と、を具備している。
　そして、前記中央処理手段は、使用開始時のみ前記第１記憶部から初期設定値を読み出し、次回からは前記第２記憶部から読み出して情報処理し各種機器を制御し、その栽培履歴データを第３記憶部に記憶するものである。
【００４５】
　ここで、本発明の養液栽培システムの養液管理システムについて詳述する。
　図４は、２月初旬に定植した１１２０本のトマトに、給液管３４から潅水する養液の散布量、すなわち、給液量と、その養液の肥料濃度、すなわち、ＥＣ値とを規定するトマトの潅水条件についての初期設定値を、本システムの表示装置５０に表示した表示画面である。
　トマトは、定植後約２ケ月半程で樹の生育が旺盛になる。このためこの例では２月初旬に定植しているので、４月上旬に給液量を増やしている。
　また、肥料濃度（設定ＥＣ値）については、３月下旬に少し高く、４月中旬には少し低くするように、潅水条件を規定している。
【００４６】
　本実施例では、上述の潅水条件は、図５乃至図１０に示される入力画面で設定されるものである。
　この入力画面は、栽培者が導入した際に養液栽培システム提供者である栽培支援センターが初期設定値として規定したもので、農場サーバー５１の第１記憶部から読み出されたものである。
　ここで本実施例では、１回の１株当たりの散水量が０．１ｌと規定されているので、例えば図４において給液量が０．５ｌと規定されている、図５における３月上・中旬、同下旬の潅水は、潅水時刻の欄に規定した時刻に計５回行うものとされている。
　また、潅水条件についてはその欄に、３月上・中旬Ｅ、３月下旬Ｇと、符号で規定されている。
　この符号の意味については、後述する。
【００４７】
　この入力画面ては、潅水時刻の欄、潅水条件の欄の内容を栽培者が自らの栽培管理手法にならって自由に書き替えることができる。
　例えば、潅水時刻について全ての値を＋３０して、３０分潅水時刻を遅らせることができる。
　もちろん、１回当たりの散水量を増加して散水回数を減らすことも可能である。
　また、この入力画面は、入力装置の操作により表示画面に、再度入力画面に簡単に切り替えることができる。
【００４８】
　次いで図６について説明する。
　図６が規定する期間である４月は、給液量については、０．９ｌで一定である。このため、上・中・下旬とも７時に開始し１５時を最終回とする計９回の潅水をするように時刻が設定されている。
　また、潅水条件は、上旬がＧ、中・下旬がＥと規定されている。
【００４９】
　上述の潅水条件については、図７に示す入力画面で入力されるもので、例えば上述の潅水条件Ｇは、潅水量１１２ｌ、養液条件ｄと規定するものである。
【００５０】
　そして、この養液条件ｄとは、図８に示されるように、肥料濃度の調製ＥＣ値が２と設定されていることを意味している。
【００５１】
　図５から図１０までに示した入力画面において設定された設定値は、本システムの第２記憶部に記憶され、中央処理手段（ＣＰＵ）によって処理されて、給液装置２７を介して原液タンクＡ、原液タンクＢのポンプ及び図示しない混合電磁弁の駆動を制御して水を加え、目標とする肥料濃度の養液を調製し、希釈タンク３０に養液を貯留するものである。
【００５２】
　通常の潅水は、上記の設定にしたがって行われる。
　しかし、培地内に肥料分が集積し、排液のＥＣ値が排液の設定ＥＣ値に比べて高いときは、臨時に潅水を自動的に実施するようにしてある。
　図９は、臨時潅水設定値を入力する画面である。この例では、１ベッド当たりの潅水量を２００ｌに設定し、肥料調整目標値を通常の培養液調整値の１／２にしてある。この培養液調整値の１／２の意味するところは、前回の培養液調整値の１／２であるから、連続して１／２の係数が掛けられる。
　すなわち、初回は設定値の１／２、次は１／４、その次は１／８のように、徐々に養液の肥料濃度を低めながら２００ｌ／回の散水を、排液の肥料濃度が正常値に近くなるまで継続する。
【００５３】
　以上臨時潅水を自動的に実施するシステムについて説明したが、図９に自動手動切り替え設定可能な欄を作成し、手動による臨時潅水を選択するようにしてもよい。
【００５４】
　潅水については以上のとおり行われるが、次に、天窓の制御について説明する。
　図１０は、天窓設定値を入力する画面で、温度条件は、開始時刻の時間区分毎に設定されているが、中央処理手段（ＣＰＵ）は、室内温度が温度条件より２℃低くなると全閉するよう、天窓、側窓の換気窓駆動装置を制御する。
　ここで、開度上限は換気窓を１００％開いた状態に対する開度割合を、待ち時間は規定された時間待っても温度が設定値まで下がらないとき、開度モードの欄において規定されたモード（この例では季節自動モード）に応じて、段階的に換気窓を開くようにされている。
　この季節自動モードは、中央処理手段（ＣＰＵ）が室内温度と培地温度を比較して夏モード、冬モードを判断し、いずれかのモードの設定値を制御信号として自動的に選択し、夏モードを選択中であれば上記開度上限を４分割した角度だけ窓を開き、冬モードを選択しているのであれば同じく開度上限を２０分割した角度だけ天窓を開くように前記換気窓駆動装置を制御する。
　また、この入力画面では、上記した項目の他、強風と降雨に対する対応も入力設定される。
　この例では、強風時の窓全閉について風速条件を規定し、天窓全閉を解除する際の無降雨時間を解除時間の項目で規定し、さらに、降雨中の換気について温度条件、湿度条件及び開度を規定するものとされている。
　なお、この例では、降雨全閉と判断する際の降雨量については規定することができないものとされているが、その判断基準を更新し得るようにしてもよい。
【図面の簡単な説明】
【００５５】
【図１】栽培支援ネットワークのイメージ図である。
【図２】栽培支援ネットワークの詳細図である。
【図３】栽培者側養液栽培システム概念図である。
【図４】養液の給液量及びＥＣ値の設定値を表示する図である。
【図５】３月の潅水時刻の表示／入力画面を示す図である。
【図６】４月の潅水時刻の表示／入力画面を示す図である。
【図７】潅水条件の表示／入力画面を示す図である。
【図８】養液条件の表示／入力画面を示す図である。
【図９】臨時潅水条件の表示／入力画面を示す図である。
【図１０】天窓設定値の表示／入力画面を示す図である。
【符号の説明】
【００５６】
　１　柱
　２　梁トラス
　４　フィルム
　５　天窓
　６　側窓
　７　側窓開閉装置
　８　天窓開閉装置
　９　レールラック
　１０　天窓支持金具
　１３　循環扇
　１４　風速・風向計
　１５　雨センサー
　１６　モニターカメラ
　１７　室内湿度センサー
　１８　室外温度センサー
　１９　炭酸ガスセンサー
　２０　温度センサー
　２１　ミスト発生器細霧装置
　２２　保温・遮光カーテン
　２４　日照・日射センサー
　２５　送水ポンプ
　２６　原水タンク
　２７　給液装置
　２８　原液タンクＡ
　２９　原液タンクＢ
　３０　希釈タンク
　３１　第１ｐＨセンサー
　３２　第１ＥＣ（電気伝導度）センサー
　３３　暖房装置
　３４　潅水チューブ
　３５　排液管
　３６　排液計測ます
　３７　第２ｐＨセンサー
　３８　第２ＥＣ（電気伝導度）センサー
　３９　排液貯留槽
　４０　排液殺菌装置
　４１　炭酸ガス発生器
　４２　炭酸ガスボンベ
　５０　ディスプレイ・入力装置
　５１　農場サーバー
　５２　携帯電話
　５３　携帯情報端末
【図１】
2004065265.tif 000003
【図２】
2004065265.tif 000004
【図３】
2004065265.tif 000005
【図４】
2004065265.tif 000006
【図５】
2004065265.tif 000007
【図６】
2004065265.tif 000008
【図７】
2004065265.tif 000009
【図８】
2004065265.tif 000010
【図９】
2004065265.tif 000011
【図１０】
2004065265.tif 000012